【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
第１の基板と、
前記第１の基板と略平行で、前記第１の基板との間で空隙を形成している第２の基板と、
前記空隙内に含まれるガスと、
前記第１の基板に接続した少なくとも１つの第１の電極と、
前記第２の基板に接続した少なくとも１つの第２の電極と、
前記第２の基板に接続した少なくとも１つの第３の電極と、
前記第２の電極に接続した第２のインピーダンス素子と、
前記第３の電極に接続した第３のインピーダンス素子と、
前記第１の電極に接続した電源と、
前記第２のインピーダンス素子に接続した第１の放電現象検出器と、
前記第３のインピーダンス素子に接続した第２の放電現象検知器と、
前記第２の電極および前記第３の電極によって規定される複数の画素と、
を備える電離放射線計数検知装置であって、
前記複数の画素のそれぞれは、電離放射線との相互作用でガス放電パルスを出力可能であり、
各ガス放電パルスはほぼ等価であり、前記第１の放電現象検出器および第２の放電現象検知器は、ガス放電パルスが前記画素から出力されたことを検出し、各ガス放電パルスを個別の放電現象として計数するための検出回路を含み、
検出された放射線の量は計数された放電現象の数に基づくことを特徴とする電離放射線計数検出装置。
【請求項２】
前記画素を定義するために、前記第２の電極および前記第３の電極は隣接してペアになっていることを特徴とする請求項１に記載の電離放射線計数検出装置。
【請求項３】
前記第１の電極はＸ電極であり、前記第２の電極はＹｃ（列）電極であり、前記第３の電極はＹｒ（行）電極であることを特徴とする請求項２に記載の電離放射線計数検出装置。
【請求項４】
前記第２の電極に接続した少なくとも１つの第１の駆動回路と、
前記第３の電極に接続した少なくとも１つの第２の駆動回路と、を備えることを特徴とする請求項１に記載の電離放射線計数検出装置。
【請求項５】
前記第１の放電現象検出器および前記第２の放電現象検出器に接続され、前記第１の放電現象検出器および前記第２の放電現象検出器によって検知された放電現象をタイムスタンプするタイムスタンプ回路を含むことを特徴とする請求項１に記載の電離放射線計数検出装置。
【請求項６】
前記第１の放電現象検出器および前記第２の放電現象検出器によって検知された、略同時に発生した放電現象を記録するために、前記タイムスタンプ回路に接続した放電現象データ保存装置を含むことを特徴とする請求項５に記載の電離放射線計数検出装置。
【請求項７】
前記電源並びに前記第１および第２の放電現象検出器にフィードバック情報を提供するために前記放電現象データ保存装置に接続された感度コントロールを含むことを特徴とする請求項６に記載の電離放射線計数検出装置。  
【請求項８】
前記第２の基板に前記第１の基板を接続する密閉シールと、
前記空隙を定義するスペーサーと、を含むことを特徴とする請求項１に記載の電離放射線計数検出装置。
【請求項９】
前記スペーサーは内部障壁リブ構造を構成することを特徴とする請求項８に記載の電離放射線計数検出装置。
【請求項１０】
さらに前記第１の電極に接続された第１のインピーダンス素子を含むことを特徴とする請求項１に記載の電離放射線計数検出装置。
【請求項１１】
第１の基板と、
前記第１の基板と略平行で、前記第１の基板との間で空隙を形成している前記第２の基板と、
ガス充填前記空隙に充填されたガスと、
前記第１の基板に接続された放射源電極と、
前記第２の基板に接続され、画素中心を定義する一電流方向の第１と第２の電極と、
第１の駆動回路、第１の電流制限インピーダンス素子、および前記第１の電極に接続された第１のパルス検出部と、
第２の駆動回路、第２の電流制限インピーダンス素子、および前記第２の電極に接続された第２のパルス検出部と、
前記第１の電極および前記第２の電極によって規定される複数の画素と、
を備える電離光子放射線計数検知装置であって、
前記複数の画素のそれぞれは、電離放射線との相互作用でガス放電パルスを出力可能であり、
各ガス放電パルスはほぼ等価であり、前記第１のパルス検出部および第２のパルス検出部は、ガス放電パルスが前記画素から出力されたことを検出し、各ガス放電パルスを個別の放電現象として計数するための検出回路を含み、
検出された放射線の量は計数された放電現象の数に基づくことを特徴とする電離放射線計数検出装置。
【請求項１２】
少なくとも１つの電源、第３の駆動回路および前記放射源電極に接続された第３の電流制限インピーダンス素子を含むことを特徴とする請求項１１に記載の電離放射線計数検出装置。
【請求項１３】
前記第１のパルス検出部および前記第２のパルス検出部に接続され、前記第１のパルス検出部および前記第２のパルス検出部によって検知された放電現象をタイムスタンプするタイムスタンプ回路を含むことを特徴とする請求項１２に記載の電離放射線計数検出装置。
【請求項１４】
前記第１のパルス検出部および前記第２のパルス検出部によって検知された、略同時に発生した放電現象を記録するために、前記タイムスタンプ回路に接続した放電現象データ保存装置を含むことを特徴とする請求項１３に記載の電離放射線計数検出装置。
【請求項１５】
前記電源と前記第１および第２のパルス検出部にフィードバック情報を提供するために前記放電現象データ保存装置に接続された感度コントロールを含むことを特徴とする請求項１４に記載の電離放射線計数検出装置。
【請求項１６】
前記第２の基板に前記第１の基板を接続する密閉シールと、
前記空隙を定義するためのスペーサーと、を含むことを特徴とする請求項１１に記載の電離放射線計数検出装置。
【請求項１７】
ガス放電現象の計数に基づく電離放射線の検出方法であって、該方法は、
第２の基板を有するプラズマパネルの第１の基板と、
受信した電離放射線に応答して、少なくとも１つの自由電子を生成する工程と、
前記自由電子の生成によって、前記第１の基板と前記第２の基板との間の空間内に含まれるガス中に、電子を放出する工程と、
前記プラズマパネルの画素部でガス放電パルスを生じる工程と、
第２の電極に接続された第１のパルス検出部および第３の電極に接続された第２のパルス検出部で前記ガス放電パルスを計数する工程と、を含み、
ここで、前記画素部は、電離放射線との相互作用で前記ガス放電パルスを出力可能であり、各ガス放電パルスはほぼ等価であり、前記第２の電極および第３の電極は、前記プラズマパネルの第２の基板に接続され、さらに前記計数する工程には、前記ガス放電パルスが前記画素部から出力されたことを検出し、各ガス放電パルスを個別の放電現象として計数する手段が含まれることを特徴とする電離放射線の検出方法。
【請求項１８】
第１の基板と、
前記第１の基板と略平行で、前記第１の基板との間で空隙を形成している第２の基板と、
前記空隙内に含まれるガスと、
前記第１の基板に接続した少なくとも１つの第１の電極と、
前記第２の基板に接続した少なくとも１つの第２の電極と、
前記第２の基板に接続した少なくとも１つの第３の電極と、
前記第２の電極に接続した第２のインピーダンス素子と、
前記第３の電極に接続した第３のインピーダンス素子と、
前記第２の電極に接続した電源と、
前記第２のインピーダンス素子に接続した第１の放電現象検出器と、
前記第３のインピーダンス素子に接続した第２の放電現象検知器と、
前記第２の電極および前記第３の電極によって規定される複数の画素と、
を備える電離放射線計数検知装置であって、
前記複数の画素のそれぞれは、電離放射線との相互作用でガス放電パルスを出力可能であり、
各ガス放電パルスはほぼ等価であり、前記第１の放電現象検出器および第２の放電現象検知器は、ガス放電パルスが前記画素から出力されたことを検出し、各ガス放電パルスを個別の放電現象として計数するための検出回路を含み、
検出された放射線の量は計数された放電現象の数に基づくことを特徴とする電離放射線計数検出装置。
【請求項１９】
前記第３の電極に接続した少なくとも１つの駆動回路を備えることを特徴とする請求項１８に記載の電離放射線計数検出装置。
【請求項２０】
前記第２の電極に接続した少なくとも１つの駆動回路と、前記第３の電極に接続した電源とを備えることを特徴とする請求項１９に記載の電離放射線計数検出装置。
【手続補正２】
【補正対象書類名】明細書
【補正対象項目名】発明の名称
【補正方法】変更
【補正の内容】
【発明の名称】プラズマパネルによる電離放射線計数検出装置及び電離放射線の検出方法